(57)【要約】      （修正有）【課題】クッキー機能を持たない携帯端末の環境下においても報酬の支払い漏れなどの不都合が生じないアフィリエイト販売の仕組みを実現する。【解決手段】紹介商品又はその商品の販売者、及び紹介者を特定する識別データを含む誘導リンクをアフィリエイタの商品紹介ページに予め貼付しておき、誘導リンクの選択によって購入者端末からアクセスを受付けた際に、その購入者端末が携帯端末の場合は、誘導リンク内の識別データを基に当該商品の販売サイトのＵＲＬを特定して、携帯端末からのアクセス先ＵＲＬを誘導リンクのまま上記Ｗｅｂページを携帯端末に送信し表示させるステップと、携帯端末においてＷｅｂページのＵＲＬがお気に入りに記録された後、再度アクセスを受付けた際に、クッキーを用いることなく、ＵＲＬ内の識別データからアフィリエイト販売処理に必要なデータを復元して当該データを継承するステップとを、ＡＳＰサーバに備える。【選択図】図２
2010020585.tif 000002
【特許請求の範囲】
【請求項１】
販売対象の商品を仮想店舗に出品する販売サイトと、前記商品を紹介するアフィリエイタのサイトと、クッキー機能を持たない携帯端末を含む購入者端末と、前記販売サイトのＷｅｂページをその販売サイトのＵＲＬに関連付けて格納するデータベースを有するＡＳＰ（Affiliate  Service  Provider）サーバとがネットワークを介して接続されたアフィリエイトシステムにおけるデータ継承方法であって、
前記アフィリエイタの商品紹介ページに貼付される前記販売サイトへの誘導リンクを、前記ＡＳＰサーバをアクセス先ホストとし且つ、前記アフィリエイタが紹介した商品又はその商品の販売者を特定する第１識別データと前記アフィリエイタを特定する第２識別データとを含むＵＲＬリンクで構成し、
前記ＡＳＰサーバが、
前記購入者端末の画面上に表示された前記商品紹介ページに貼付されている誘導リンクの選択操作によりアクセスを受付けた際に、アクセス元の購入者端末が携帯端末の場合は、前記誘導リンクに含まれる前記第１識別データを基に当該商品の販売サイトのＵＲＬを特定すると共に、そのＵＲＬに対応する当該販売サイトのＷｅｂページを前記データベースから読み込み、当該商品の販売サイトに誘導する処理を実行せずに、前記携帯端末からのアクセス先ＵＲＬを前記誘導リンクのままとして前記当該販売サイトのＷｅｂページを前記携帯端末に送信して画面上に表示させる処理を実行するステップと、
前記携帯端末において前記ＷｅｂページのＵＲＬがブラウザのＵＲＬリストに保存された後、前記ＵＲＬが選択操作されて再度アクセスを受付けた際に、クッキーを用いることなく、前記ＵＲＬ内の前記第１識別データ及び前記第２識別データからアフィリエイト販売処理に必要なデータを復元して当該データを継承する処理を実行するステップと、を有することを特徴とするアフィリエイトシステムにおけるデータ継承方法。
【請求項２】
販売対象の商品を仮想店舗に出品する販売サイトと、前記商品を紹介するアフィリエイタのサイトと、クッキー機能を持たない携帯端末を含む購入者端末と、ＡＳＰ（Affiliate  Service  Provider）サーバとがネットワークを介して接続されたアフィリエイトシステムであって、
前記アフィリエイタの商品紹介ページに貼付される前記販売サイトへの誘導リンクが、前記ＡＳＰサーバをアクセス先ホストとし且つ、前記アフィリエイタが紹介した商品又はその商品の販売者を特定する第１識別データと前記アフィリエイタを特定する第２識別データとを含むＵＲＬリンクで構成されており、
前記ＡＳＰサーバは、
前記誘導リンクで誘導される販売サイトのＷｅｂページをその販売サイトのＵＲＬに関連付けて格納するデータベースと、
前記購入者端末の画面上に表示された前記商品紹介ページに貼付されている誘導リンクの選択操作によりアクセスを受付けた際に、アクセス元の購入者端末が携帯端末か否かを判定する判定手段と、
アクセス元の購入者端末が携帯端末の場合、前記誘導リンクに含まれる前記第１識別データを基に当該商品の販売サイトのＵＲＬを特定すると共に、そのＵＲＬに対応する当該販売サイトのＷｅｂページを前記データベースから読み込み、当該商品の販売サイトに誘導する処理を実行せずに、前記携帯端末からのアクセス先ＵＲＬを前記誘導リンクのままとして前記当該販売サイトのＷｅｂページを前記携帯端末に送信して画面上に表示させる処理を実行する手段と、
前記携帯端末において前記ＷｅｂページのＵＲＬがブラウザのＵＲＬリストに保存された後、前記ＵＲＬが選択操作されて再度アクセスを受付けた際に、クッキーを用いることなく、前記ＵＲＬ内の前記第１識別データ及び前記第２識別データからアフィリエイト販売処理に必要なデータを復元して当該データを継承する処理を実行する手段と、を備えたことを特徴とするアフィリエイトシステム。
【請求項３】
前記ＡＳＰサーバは、前記判定手段によりアクセス元の購入者端末が携帯端末でないと判定した場合は、前記誘導リンク内のアクセス先ホストのアドレスを前記当該商品の販売サイトのアドレスに変換する処理を実行し、その変換処理後の誘導リンクのＵＲＬで示される販売サイトのＷｅｂページへ移動させる処理を実行する手段を有することを特徴とする請求項２に記載のアフィリエイトシステム。
【請求項４】
前記誘導リンクで誘導される販売サイトのＷｅｂページに、商品の購入を受付ける購入ページへのＵＲＬリンクである購入リンクが貼付されており、且つその購入リンクが、前記ＡＳＰサーバをアクセス先ホストとし且つ、購入が要求された商品またはその商品の販売者を特定する第３識別データを含むＵＲＬリンクで構成されており、
前記ＡＳＰサーバは、前記購入者端末において前記購入リンクが選択操作された際に、前記購入ページの画面データを前記購入者端末に送信して画面上に表示させる処理を実行すると共に、ネットワークを介して接続される決済システムとの連携処理によって、当該商品の販売者に対する売上代金の振込処理、及びアフィリエイタに対する報酬の支払処理を自動的に実行する手段を有することを特徴とする請求項２又は３に記載のアフィリエイトシステム。
【請求項５】
前記ＡＳＰサーバは、前記商品紹介ページへ掲載する商品を選択させるための商品リストの画面データを前記アフィリエイタの端末に送信する手段と、前記アフィリエイタの端末に画面表示された前記商品リストの中から前記商品紹介ページに掲載する商品が選択された際に、当該商品に対応する前記誘導リンクを自動生成して前記アフィリエイタの端末に送信する手段と、を有することを特徴とする請求項２乃至４のいずれかに記載のアフィリエイトシステム。
【発明の詳細な説明】
【技術分野】
【０００１】
本発明は、アフィリエイト・プログラムを実施するコンピュータシステムにおけるアフィリエイト処理データの継承方法に関し、特に、購入者がクッキー（Cookie）機能を持たない携帯端末を用いてコンテンツを購入した場合でも、アフィリエイタ（紹介者）に対する報酬の支払い漏れなどの不都合が生じないアフィリエイト販売を実現する技術に関する。
【背景技術】
【０００２】
近年、新たな広告手法として、アフィリエイト・プログラム（アソシエイト・プログラムとも言う）が注目されている。
【０００３】
アフィリエイト・プログラムとは、ユーザが何らかのトランザクション（商品の購入、アンケートへの記入、会員登録など）をブラウザにより発生させて初めて広告料がアフィリエイトに支払われる成果報酬型の広告配信手法である。アフィリエイト・プログラムでは、個人や企業のＷｅｂ（ウェブ）サイトやメールマガジンの運営者が、広告主（マーチャント）の広告を自身のサイトに配置し、そのサイトを訪れた訪問客の広告主のＥＣ（Electronic  Commerce）サイトへの誘導をはかるようにしている。そして、誘導された訪問客が広告を経由してＥＣサイトへ進み、サービスや商品の購入、会員申込みなどを達成した際に、誘導元のサイトへの成果報酬が発生するようになっている。
【０００４】
アフィリエイト・プログラムを実施するためには、例えば、ユーザが閲覧したマーチャントサイトを特定し、ブラウザが最終的にトランザクションに関わるイベント（商品購入指示、アンケート記入、会員登録指示など）を発生させるまでの情報流通経路を追跡（トラッキング）する処理を実行する必要がある。このようなトラッキング処理には、クッキーが利用されている。例えば、販売者のサイトにリンク誘導させるＵＲＬ（Uniform  Resource  Locator）データの中に、トラッキング情報（アフィリエイト（広告用Ｗｅｂページの管理者）を特定するためのアフィリエイトＩＤ）を組み込み、その情報を用いてアフィリエイトに対する成功報酬の計算などを行うようにしたものがある（例えば特許文献１を参照）。
【０００５】
従来のアフィリエイト販売システムにおいては、通常の商品販売処理には報酬の支払い漏れの問題がなかったが、例えば、発行者が複数の商品を販売している場合、商品Ａの誘導用リンクで、販売者（発行者）のＥＣサイト（以下「販売サイト」と呼ぶ）へ誘導しても、購入者の気が変わって、同販売サイトの他の商品Ｂを購入した場合は、その販売サイトを紹介したアフィリエイタ（affiliates）への報酬の支払いが成り立たず、報酬が無効となっていた。これは、クッキーで記録する内容が、商品指定コードとアフィリエイトＩＤの組み合わせだからであり、販売者との関連が特定できないことに起因している。
【０００６】
このように、クッキーを利用したトラッキング技術では、アフィリエイタや販売者との関連が特定できないケースがあり、アフィリエイタへの報酬の支払い漏れが生じることがあった。
【０００７】
上記のような問題など、アフィリエイタへの報酬の支払いに係る問題を解決することを主要な目的とした先行技術としては、本出願人による特許文献２に記載のものがある。その特許文献２においては、アフィリエイト販売処理に必要なデータ（商品や誘導先の販売サイトの紹介者が誰でその商品の販売者が誰であるかなどを特定するための情報）を継承する方法として、ユーザ端末との間のセッション情報を利用して引き継ぐ技法を開示している。また、セッション情報に必要なデータが存在しない場合は、クッキーから情報を取得して、当該商品を紹介した紹介者のアフィリエイトＩＤを自動的に復元する技法などを開示している。
【０００８】
図９〜図１１（図１１Ａ，図１１Ｂ）を参照して、特許文献２に開示されている上記のデータ継承（及び復元）処理について概説する。
【０００９】
先ず、ＰＣ（Personal  Computer：以下「パソコン」と呼ぶ）環境におけるオンライン販売の形態について、図９を参照して説明する。パソコン環境におけるオンライン販売では、図９に示すように、商品の紹介者であるアフィリエイタ２は、商品紹介手段２０（アフィリエイトサイト装置）として、ブログ（weblog）２０ａ，メルマガ（メールマガジン）２０ｂ，コミュニティ型のＷｅｂサイトで提供されるＳＮＳ（Social  Networking  Service）２０ｃなどの情報提供装置を利用して、当該商品の紹介告知を行うようにしている。
【００１０】
ユーザ（購入者）は、上記のような色んな方法でアフィリエイタ２が告知した当該商品の情報を誘導先の販売サイトで見て、その場で即座に商品を購入するとは限らず、ユーザ端末の画面上に表示されている販売サイトのアドレス（ウェブページのＵＲＬ）を、一旦、ブラウザのＵＲＬリスト（マイクロソフト社のInternet  Explorerの「お気に入り」やネットスケープ・コミュニケーションズ社のNetscape  Navigatorの「Bookmark」）に記録しておいて、後でじっくり確認してから、ユーザがＵＲＬリスト内のＵＲＬを選択することで、再度、その販売サイトのウェブページにアクセスして所望の商品を購入すると言う行動が行われる。
【００１１】
ここで、ユーザが商品を即座に購入する場合と、販売サイトのＵＲＬをブラウザのＵＲＬリスト（以下「お気に入り」とする）に入れて後から購入する場合の２通りに分けて、アフィリエイ販売が成立するまでの流れを説明する。
（１）ユーザが商品を即座に購入する場合の流れ
図１０は、ユーザが商品を即座に購入する場合の流れを示している。図９のブログ２０ａで紹介された商品の紹介ページには、当該商品の紹介者を特定するためのアフィリエイトＩＤを含むＵＲＬリンクが誘導リンク（「アフィリエイトリンク」とも呼ぶ）として予め貼付されており、図１０において、ユーザ（購入者）１が、画面上の商品（誘導リンク）をクリックすると、誘導リンクに設定されている最初のアクセス先となるアフィリエイト販売システムのサーバを介して、当該商品の販売サイト１０のウェブページ（例えば商品の詳細を解説したページ）へ移行する。
【００１２】
販売サイト１０においてユーザ（購入者）１が商品Ａを即座に購入する場合、ユーザ１は、課金ページ（購入を受付ける購入ページ）へ移行して必要な情報を記入した後、例えば購入ボタンをクリックすると、例えば当該商品のコンテンツがユーザ端末の記憶部にダウンロードされ、商品Ａの購入が完了する。
【００１３】
その際、紹介者に対する報酬の課金処理等は、アフィリエイト販売システムを介して実行されるが、アフィリエイ販売システムでは、販売サイト１０のコンピュータとの間でアフィリエイトＩＤなどの必要なデータをセッション情報により引き継ぐ形態とすることで、販売サイト１０側で販売された商品の紹介者を判別することができる。すなわち、ユーザ１が即座に商品を購入する場合は、報酬を支払うべき紹介者が不明になるなどの事態が生じないので、正常にアフィリエイ販売が成立する。
（２）「お気に入り」入れて後から購入する場合の流れ
一方、販売サイトのウェブページ（誘導先の商品解説ページ）のＵＲＬを「お気に入り」に記録して通信を終了し、ユーザが後からそのＵＲＬを選択して当該ページにアクセスして所望の商品を購入すると言う行動をとった場合、一旦セッションが切断されるため、例えばコンピュータ間のデータ継承機能や復元機能を実現するためのプログラムを相互に設けない限り、誰が紹介者か引き継がれない。そのため、紹介者を判別できない事態が生じ、アフィリエイト販売が成立しなくなる。
【００１４】
アフィリエイト販売が成立しない場合、アフィリエイタは頑張って紹介しても報酬が発生しないため、紹介を行う気力を失ってしまい、アフィリエイト販売が活性化できない理由となる。
【００１５】
そこで、セッションが切断された場合でも紹介者が特定できるように、クッキーを利用してアフィリエイト販売処理に必要なデータを復元するようにしている。
【００１６】
図１１Ａ及び図１１Ｂは、販売サイトのＵＲＬを「お気に入り」入れて、後からユーザが商品を購入する場合の流れを示している。
【００１７】
図１１Ａにおいて、ユーザ１が商品をクリックすると、アフィリエイト販売システムのサーバを介して販売サイト１０のウェブページへ移行する。その際、アフィリエイト販売システムでは、パソコンに実装されているブラウザを通じて、紹介者のデータを書込んだクッキーをパソコンの記憶部に保存させる処理を実行する。
【００１８】
販売サイト１０のウェブページへ移行した後、ユーザ１が商品Ａを即時に購入せずに、そのＵＲＬをブラウザの「お気に入り」に入れて後から購入する場合、例えば一旦ウェブページを閉じた時点でセッションが切断される。
【００１９】
図１１Ｂにおいて、ユーザ１が「お気に入り」を開いて当該ＵＲＬから販売サイト１０にアクセスし、商品Ａを購入する場合、ブラウザを通じてクッキーのデータを読み込み、そのデータからアフィリエイトＩＤ等の情報を復元させる形態とすることで、アフィリエイ販売システムでは、販売サイト１０側で販売された商品の紹介者を判別することができる。すなわち、一般的なパソコンのオンライン販売のＷｅｂ環境では、ユーザ１が販売サイトのＵＲＬを「お気に入り」に入れて後から購入する場合においても、クッキーが有効な場合は（多くの場合に有効期限があり、その有効期限内の場合）、報酬を支払うべき紹介者が不明になるなどの事態が生じないので、正常にアフィリエイ販売が成立する。
【００２０】
なお、クッキーの形式は様々であるが、例えば、商品のコードか名前など商品を特定できるデータ（商品ＩＤ）と、紹介者のアフィリエイトＩＤおよびクッキーの有効期限とをセットにしておき、クッキーを読み込んだ際に、そのデータが一致した場合には、その商品を紹介したアフィリエイタが、誰かと言うデータを復元できることになる。
【００２１】
【特許文献１】特開２００６−１１３８８４号公報
【特許文献２】特願２００７−５４８６３７号
【発明の開示】
【発明が解決しようとする課題】
【００２２】
上述のようなクッキーを利用したトラッキング技術は、ユーザ端末がクッキー機能を有するパソコン等の場合には有効であり、アフィリエイタに対する報酬の支払い漏れなどの不都合を回避することが可能となる。
【００２３】
しかしながら、携帯電話機のような一般的な携帯端末におけるオンライン販売では、携帯端末自体がクッキーを処理する仕組みを持っていない場合が多いため、アフィリエイタが一生懸命、商品を紹介しても、ユーザが即座に商品を購入しないで、後から購入する場合は、誰が紹介者か不明になるという問題があった。
【００２４】
例えば、商品の販売サイトは、静的なコンテンツ（非プログラム）のサイトが多く存在するため、即座に購入する場合は、セッションにより誰が紹介者か引き継がれるため、紹介者を判別出来るのでアフィリエイト販売が成立するので問題がない。しかし、一旦、「お気に入り」に入れてユーザが後から購入すると言う、パソコンと同じ行動になった場合は、セッションが切断され、携帯端末にはクッキーの機能がないため、誰が紹介したアフィリエイタかと言うデータを復元することができなかった。
【００２５】
そのため、クッキー機能を持たない端末環境下におけるオンライン販売では、アフィリエイタに対する報酬の支払い漏れなどの不都合が生じる可能性があった。このような不都合を無くすために、販売サイト側のページ表示機能自体に、紹介者のアフィリＩＤを継承する機能を持たせることも考えられるが、無尽蔵に存在する全ての販売サイトに、この仕組みを強要することは不可能であり、現実的ではないという問題がある。
【００２６】
本発明は上述のような事情から成されたものであり、本発明の目的は、販売サイト側の改造や対応を求めることなく、クッキー機能を持たない端末環境下においても報酬の支払い漏れなどの不都合が生じないアフィリエイト販売の仕組みを実現することにある。詳しくは、本発明の主要な目的は、紹介者が紹介した商品を購入者が即座に購入しないで、一旦、商品販売サイトのＵＲＬを携帯端末側のＵＲＬリストに入れて後から購入すると言う行動をとった場合でも、クッキーの機能があるパソコン環境と同じように、紹介者を特定するデータを復元することができて、その結果、携帯端末でもパソコンと同じようなアフィリエイト販売を実現できる方法（アフィリエイト情報の継承制御方法）、及びそのシステムを提供することにある。
【課題を解決するための手段】
【００２７】
本発明は、アフィリエイト・プログラムを実施するアフィリエイトシステム及びそのシステムにおけるデータ継承方法に関するものであり、データ継承方法に関しては、本発明の上記目的は、販売対象の商品を仮想店舗に出品する販売サイトと、前記商品を紹介するアフィリエイタのサイトと、クッキー機能を持たない携帯端末を含む購入者端末と、前記販売サイトのＷｅｂページをその販売サイトのＵＲＬに関連付けて格納するデータベースを有するＡＳＰ（Affiliate  Service  Provider）サーバとがネットワークを介して接続されたアフィリエイトシステムにおけるデータ継承方法であって、前記アフィリエイタの商品紹介ページに貼付される前記販売サイトへの誘導リンクを、前記ＡＳＰサーバをアクセス先ホストとし且つ、前記アフィリエイタが紹介した商品又はその商品の販売者を特定する第１識別データと前記アフィリエイタを特定する第２識別データとを含むＵＲＬリンクで構成し、前記ＡＳＰサーバが、前記購入者端末の画面上に表示された前記商品紹介ページに貼付されている誘導リンクの選択操作によりアクセスを受付けた際に、アクセス元の購入者端末が携帯端末の場合は、前記誘導リンクに含まれる前記第１識別データを基に当該商品の販売サイトのＵＲＬを特定すると共に、そのＵＲＬに対応する当該販売サイトのＷｅｂページを前記データベースから読み込み、当該商品の販売サイトに誘導する処理を実行せずに、前記携帯端末からのアクセス先ＵＲＬを前記誘導リンクのままとして前記当該販売サイトのＷｅｂページを前記携帯端末に送信して画面上に表示させる処理を実行するステップと、前記携帯端末において前記ＷｅｂページのＵＲＬがブラウザのＵＲＬリストに保存された後、前記ＵＲＬが選択操作されて再度アクセスを受付けた際に、クッキーを用いることなく、前記ＵＲＬ内の前記第１識別データ及び前記第２識別データからアフィリエイト販売処理に必要なデータを復元して当該データを継承する処理を実行するステップと、を有することによって達成される。
【００２８】
また、アフィリエイトシステムに関しては、本発明の上記目的は、販売対象の商品を仮想店舗に出品する販売サイトと、前記商品を紹介するアフィリエイタのサイトと、クッキー機能を持たない携帯端末を含む購入者端末と、ＡＳＰサーバとがネットワークを介して接続されたアフィリエイトシステムであって、前記アフィリエイタの商品紹介ページに貼付される前記販売サイトへの誘導リンクが、前記ＡＳＰサーバをアクセス先ホストとし且つ、前記アフィリエイタが紹介した商品又はその商品の販売者を特定する第１識別データと前記アフィリエイタを特定する第２識別データとを含むＵＲＬリンクで構成されており、前記ＡＳＰサーバは、前記誘導リンクで誘導される販売サイトのＷｅｂページをその販売サイトのＵＲＬに関連付けて格納するデータベースと、前記購入者端末の画面上に表示された前記商品紹介ページに貼付されている誘導リンクの選択操作によりアクセスを受付けた際に、アクセス元の購入者端末が携帯端末か否かを判定する判定手段と、アクセス元の購入者端末が携帯端末の場合、前記誘導リンクに含まれる前記第１識別データを基に当該商品の販売サイトのＵＲＬを特定すると共に、そのＵＲＬに対応する当該販売サイトのＷｅｂページを前記データベースから読み込み、当該商品の販売サイトに誘導する処理を実行せずに、前記携帯端末からのアクセス先ＵＲＬを前記誘導リンクのままとして前記当該販売サイトのＷｅｂページを前記携帯端末に送信して画面上に表示させる処理を実行する手段と、前記携帯端末において前記ＷｅｂページのＵＲＬがブラウザのＵＲＬリストに保存された後、前記ＵＲＬが選択操作されて再度アクセスを受付けた際に、クッキーを用いることなく、前記ＵＲＬ内の前記第１識別データ及び前記第２識別データからアフィリエイト販売処理に必要なデータを復元して当該データを継承する処理を実行する手段と、を備えることによって達成される。
【００２９】
さらに、本発明の上記目的は、
前記ＡＳＰサーバは、前記判定手段によりアクセス元の購入者端末が携帯端末でないと判定した場合は、前記誘導リンク内のアクセス先ホストのアドレスを前記当該商品の販売サイトのアドレスに変換する処理を実行し、その変換処理後の誘導リンクのＵＲＬで示される販売サイトのＷｅｂページへ移動させる処理を実行する手段を有すること、
前記誘導リンクで誘導される販売サイトのＷｅｂページに、商品の購入を受付ける購入ページへのＵＲＬリンクである購入リンクが貼付されており、且つその購入リンクが、前記ＡＳＰサーバをアクセス先ホストとし且つ、購入が要求された商品またはその商品の販売者を特定する第３識別データを含むＵＲＬリンクで構成されており、前記ＡＳＰサーバは、前記購入者端末において前記購入リンクが選択操作された際に、前記購入ページの画面データを前記購入者端末に送信して画面上に表示させる処理を実行すると共に、ネットワークを介して接続される決済システムとの連携処理によって、当該商品の販売者に対する売上代金の振込処理、及びアフィリエイタに対する報酬の支払処理を自動的に実行する手段を有すること、
前記ＡＳＰサーバは、前記商品紹介ページへ掲載する商品を選択させるための商品リストの画面データを前記アフィリエイタの端末に送信する手段と、前記アフィリエイタの端末に画面表示された前記商品リストの中から前記商品紹介ページに掲載する商品が選択された際に、当該商品に対応する前記誘導リンクを自動生成して前記アフィリエイタの端末に送信する手段と、を有すること、
によって、それぞれ一層効果的に達成される。
【発明の効果】
【００３０】
本発明によれば、販売サイト側の改造や対応を求めることなく、クッキー機能を持たない端末環境下においても、商品の紹介者やその商品を販売する販売サイトに誘導した紹介者に対する報酬の支払い漏れなどの不都合が生じないアフィリエイトシステムを提供することができる。そのため、パソコンより携帯端末の方が機動力があり、オンライン販売等も爆発的に拡大するだろうと言われながら、中々、携帯端末ではオンライン販売が活性化できなかった原因を、本発明を採用することによって取り除くことが可能となり、その結果として携帯端末におけるオンライン販売が、パソコンを遥かに凌駕して、大きな市場規模になる原動力の土台となるなどの格別な効果を奏することができる。
【発明を実施するための最良の形態】
【００３１】
以下、本発明の好適な実施の形態について図面を参照して説明する。
【００３２】
図１は、本発明に係るアフィリエイトシステムの全体構成の一例を示すブロック図である。なお、本発明で言う「アフィリエイトシステム」とは、狭義の意味では、ＡＳＰ（Affiliate  Service  Provider）のシステムのことを言うが、広義の意味では、図１に示される全体のコンピュータネットワークシステムのことを言う。以下、システムの中核となるＡＳＰのコンピュータシステムを「アフィリエイト販売システム」（又は「ＡＳＰ」）と呼び、全体のシステムを「アフィリエイトシステム」と呼んで説明する。
【００３３】
本発明に係るアフィリエイトシステムは、販売対象の商品（デジタルコンテンツや物品）を電子ショッピングモール等のネットワーク上の仮想店舗に出品するＥＣ（Electronic  Commerce）サイト装置（ＥＣサイトのコンピュータ、以下「販売サイト」と呼ぶ）１０と、アフィリエイタが上記商品を紹介告知するための商品紹介手段としてのアフィリエイトサイト装置２０（ブログ、メールマガジン、ホームページ等を提供するアフィリエイタのサイトに設置されるコンピュータ）と、アフィリエイトサービスを提供するアフィリエイト販売システム３０と、各カード会社のコンピュータとの間で決済処理を行う決済システム４０とを備えており、これらは、インターネット等のネットワークを介して相互に通信可能に接続されている。
【００３４】
販売対象の商品を購入するユーザ１の通信端末は、Ｗｅｂブラウザを実装した情報処理端末であり、クッキー機能を有する通信端末（以下「パソコン」とする）１ａの他に、クッキー機能を持たない携帯電話機、ＰＤＡ（Personal  Digital  Assistants）等の通信端末１ｂ（以下「携帯端末」とする）など、インターネット接続機能を有する任意の情報処理装置を利用することができる。
【００３５】
アフィリエイト販売システム３０は、ＡＳＰが運営管理する情報処理システムであり、報酬料金の課金処理，決済システムとの連携による決済処理など、アフィリエイトサービスに係る情報処理全般を行う中核のコンピュータシステムである。アフィリエイト販売システム３０は、Ｗｅｂサーバ、データベースサーバ、メールサーバ、及び運営管理用サーバなど、アフィリエイト・プログラムを実現するための複数のコンピュータと、データベース３４とを備えている。
【００３６】
主要なデータベース３４としては、販売サイト１０に出品される商品の情報（デジタルコンテンツのデータ，解説文，商品画像など、アフィリエイタの商品紹介ページに貼付される誘導リンクで誘導される販売サイトのＷｅｂページ）を、商品ＩＤ及び当該商品のカテゴリを示すカテゴリＩＤ等で対応付けて格納する商品データベースと、アフィリエイタ２の情報（名前，住所，電子メールアドレス，報酬の振込先口座、広告主から商品紹介の承認を受けた商品カテゴリのＩＤ等）をアフィリエイトＩＤ（アフィリエイタを特定する識別子）等で対応付けて格納するアフィリエイタ・データベースと、店舗（販売者）の情報（販売サイトのＵＲＬ，商品の売上代金の振込先口座等）を店舗ＩＤに対応付けて格納する店舗データベースと、決済会社の情報（決済システムとのＡＰＩプロトコル等）を決済会社ＩＤ等で対応付けて格納する決済会社データベースと、ユーザ１の名前、住所、電子メールアドレス、商品購入代金のオンライン決済のための認証情報，カード情報等のユーザ情報をユーザＩＤ等で対応付けて格納する購入者データベースと、を備えている。
【００３７】
また、アフィリエイト販売システム３０は、アフィリエイト販売処理に必要なデータ（特に、どの商品または販売者の何を誰が紹介したかを特定するためのデータ）の継承／復元に係る処理の実行制御を行うデータ継承制御手段（データ継承制御部３２）と、決済システム４０との連携処理によりＥＣ店舗に対する売上代金の振込処理、及びアフィリエイタに対する報酬の支払処理を自動的に行う決済連携処理手段（決済連携処理部３３ａ）及び酬決定手段（報酬決定部３３ｂ）とを備えている。
【００３８】
本実施の形態では、アフィリエイタの商品紹介ページに貼付される販売サイトへの誘導リンクは、アフィリエイト販売システム３０内のＷｅｂサーバ（ＡＳＰサーバ）をアクセス先ホストとし且つ、アフィリエイタが紹介した商品又はその商品の販売者を特定する第１識別データとアフィリエイタを特定する第２識別データとを含むＵＲＬリンクで構成されている。商品紹介ページには、複数の商品や異なる販売サイトの商品の掲載も可能であり、上記誘導リンクは個々の商品に対応して設定されており、例えば個々の商品のタイトル情報に埋め込まれて商品紹介ページに貼付されている。
【００３９】
そして、データ継承制御部３２は、ユーザ１の通信端末（購入者端末）の画面上に表示されたアフィリエイタの商品紹介ページに貼付されている誘導リンクが選択操作されてアクセスを受付けた際に、その通信端末が携帯端末１ｂか否かを判定する判定手段と、携帯端末１ｂと判定した場合、誘導リンクに含まれる第１識別データを基に当該商品の販売サイトのＵＲＬを特定すると共に、そのＵＲＬに対応する当該販売サイトのＷｅｂページをデータベース３４から読み込み、当該商品の販売サイトに誘導する処理を実行せずに、携帯端末１ｂからのアクセス先ＵＲＬを誘導リンクのままとして（ＨＴＴＰ要求に対する応答のロケーションヘッダに設定するＵＲＬを誘導リンクとして）当該販売サイトのＷｅｂページを携帯端末１ｂに送信して画面上に表示させる処理を実行する誘導制御手段とを備えている。
【００４０】
更に、データ継承制御部３２は、携帯端末１ｂ側においてＷｅｂページのＵＲＬがＵＲＬ記憶部（お気に入り等のＵＲＬリスト）に保存された後、そのＵＲＬ記憶部に記憶されたＵＲＬが選択操作されて再度アクセスを受付けた際に、クッキーを用いることなく、ＵＲＬ内の第１識別データ及び第２識別データからアフィリエイト販売処理に必要なデータを復元して当該データを継承する処理を実行するデータ復元手段を備えている。
【００４１】
また、その他に、アフィリエイト販売システム３０は、電子マネーを発行する電子マネー処理システム５０との連携処理により、アフィリエイタに対する報酬をその報酬が発生時点又は所定期間が経過した時点で電子マネーに自動交換する報酬交換処理手段などを備えている。
【００４２】
なお、上記各手段の名称は、説明の便宜上で付与した名称であり、ソフトウェアの構成や処理の順序を限定するものではない。また、上述のアフィリエイトサービスに係る処理を自動的に遂行する手順をコンピュータに実行させるためのプログラム及び制御データ類は、外部記憶媒体に格納されていると共に、アフィリエイトシステム内の当該コンピュータの記憶手段に格納されている。
【００４３】
以上のようなシステム構成において、本発明に係る携帯端末（クッキー機能を備えていない通信端末）におけるアフィリエイト販売の処理方法を説明する。
【００４４】
先ず、その説明に先だち、本発明に係るアフィリエイト販売システム３０の基本的な処理を説明する。なお、以下の１−６に示す情報処理を実行する手段として、アフィリエイト販売システム３０のコンピュータを機能させるためのコンピュータプログラムプロダクトは、コンピュータによって読み取り可能な所定の情報記憶媒体に格納されている。
《アフィリエイト販売システム３０における基本的な処理》
《１．販売者情報の登録処理》
先ず、販売者の情報の登録処理について説明する。
【００４５】
販売サイト１０で商品を販売する販売者は、パソコン等の通信端末からアフィリエイト販売システム３０内のＷｅｂサーバ（以下「ＡＳＰサーバ」と呼ぶ）にアクセスし、販売者の登録画面上に表示される案内に従って、販売者情報（販売者の名前、住所、電話番号、パスワード、銀行口座情報、販売者ＩＤ、販売サイトのＵＲＬ、電子メールアドレス、クレジットカードの情報等）を入力し、ＡＳＰサーバに送信する。ＡＳＰサーバは、その店舗ＩＤ及び販売者ＩＤ等で検索可能に、データベース３４（店舗ＤＢ）に登録し、販売者情報の登録処理を完了する。なお、アフィリエイト販売システム３０内のＡＳＰサーバは、仮登録画面に従って販売者が入力したクレジットカードの情報に基づいて、初期登録料のクレジット決済処理を実行し、そのクレジット決済が正常に終了した場合に、販売者が審査基準を満たしていると判定し、販売者の正式登録処理を実行するようにしている。
《２．アフィリエイタ情報の登録処理》
次に、アフィリエイタ２の情報の登録処理について説明する。なお、アフィリエイタの審査処理や情報の登録処理に係る動作は、販売者情報の登録処理と同様であり、以下、簡略化して説明する。
【００４６】
アフィリエイタ２の通信端末の表示部に表示される情報登録画面には、アフィリエイタ情報（アフィリエイタ２の名前、住所、電話番号、秘密の鍵（パスワード）、銀行口座情報、アフィリエイトＩＤ等）が設けられており、ＡＳＰサーバは、そのアフィリエイタ情報を受信し、アフィリエイトＩＤ等で検索可能に、データベース３４（アフィリエイタＤＢ）に登録する。そのアフィリエイトＩＤは、販売における紹介ＩＤとなる。
《３．商品情報の登録処理》
次に、店舗（販売者）が出品する商品の情報の登録処理について説明する。
【００４７】
販売者の通信端末の表示部に表示される商品情報登録画面には、商品名、提供価格、商品の解説文、販売サイト１０における販売者ページのＵＲＬ、商品の写真画像等の入力欄が設けられており、販売者は、販売を希望する商品の情報を画面上で入力する。アフィリエイト販売システム３０内のＡＳＰサーバは、その商品情報（商品の解説文，商品の画像等からなるＷｅｂページのデータ）を受信し、商品ＩＤを自動的に付与し（本例ではシステム固有の商品番号ｎｎｎを採番）、商品ＩＤ、及び販売者を識別するための販売者ＩＤ等で検索可能に、データベース３４（商品ＤＢ）に登録する。その際、後述する購入リンクを当該商品情報に自動的に貼り付ける処理を実行し、その購入リンク付きの商品情報（販売者ページのＷｅｂデータ）をデータベース３４（商品ＤＢ）に登録する。
【００４８】
ここで、店舗が出品する商品の種類について説明する。
【００４９】
店舗が販売サイト１０において出品するコンテンツを大別すると、（１）ダウンロード販売等により販売されるデジタルコンテンツ（電子書籍や音楽データ、映像データ、コンピュータソフトウェアなどの静的な非プログラムのコンテンツ）と、（２）購読者に対して定期的に情報（有料の情報）を電子メールで届ける有料メールマガジンと、（３）オンライン販売（物販）の対象となる実際の物品（デジタルコンテンツを記憶した記憶媒体、印刷物、飲食物、鉱物など）とに大別される。
【００５０】
デジタルコンテンツは、例えば電子書籍の場合は、小説、ビジネス書、教科書、漫画本、写真集、趣味・実用書など、書籍をデジタルデータにし、ユーザが所有する購入者端末３で読める形にしたものであり、デジタル化されたテキスト情報、音声情報、画像情報、又は映像情報のいずれか１つ以上の組み合わせで構成される電子書籍である。
【００５１】
アフィリエイト販売システム３０が管理する販売サイト１０において電子書籍を販売する際には、パソコン１ａ側で読書専用のソフトウェアを用いなくても済むように、ＰＤＦファイルで提供するようにしている。また、アフィリエイト販売システム３０は、電子書籍を購入したユーザが、その電子書籍を読むための読書装置として携帯端末１ｂを利用できるように、電子書籍の元ファイルから文書データを抽出して携帯電話機用の頁サイズで自動分割すると共に、携帯用書籍コンテンツ（携帯電話機向けのコンテンツ記述言語及び各キャリア対応のフォーマットに変換したコンテンツ）を生成する手段と、その書籍コンテンツを携帯電話機から閲覧可能にデータベース３４に自動登録する手段とを備えている。
《４．ＵＲＬリンク（アフィリエイトリンク）の生成処理》
次に、アフィエリエイタが紹介した商品を販売する販売サイトのＷｅｂページ（販売者ページ）へ誘導させるためのＵＲＬリンク（以下「誘導リンク」とも呼ぶ）の生成処理について説明する。なお、ここで言う、販売サイトのＷｅｂページとは、誘導リンクによって移動した販売サイトに存在するＷｅｂページ（ホームページ等）と、ＡＳＰサーバのデータベース３４に存在するＷｅｂページ（本例では商品解説ページ）とがあり、アクセス元がパソコン１ａの場合は前者、アクセス元が携帯端末１ｂの場合は後者となる。
【００５２】
先ず、前述のアフィリエイタ情報を登録したアフィリエイタ２は、自身のサイトで商品を紹介したい場合は、通信端末からアフィリエイト販売システム３０にアクセスする。アフィリエイト販売システム３０は、ログインＩＤ、パスワードのチェックによってアフィリエイタ２の認証を行った後、商品の一覧を示す商品リストの画面１１を通信端末の表示部に表示する。アフィリエイタ２は、通信端末の表示部に表示された商品リスト１１ａの中から好みの商品を選び、アフィリエイト販売システム３０側から送信されて通信端末の表示部に提示される誘導リンク（アフィリエイトリンク）を、自分のブログやメールマガジン、コミュニティ型のＷｅｂサイト（ＳＮＳ）のＷｅｂページ等に貼り付けておき、その誘導リンクをユーザ端末の画面上で選択操作（ユーザによるクリック等による指示操作）してもらうことにより、当該商品の販売サイトへ購入者を誘導する。
【００５３】
なお、本実施の形態では、広告主がアフィリエイタ２に対して商品の紹介を許可する単位は、商品のカテゴリ単位としており、当該カテゴリに属する新規商品が販売サイトに掲載された場合は、アフィリエイト販売システムから新規商品のリストが電子メールで自動的に告知される。そのため、電子メールで告知された新規商品のリストから好みの商品を選び、誘導リンクを自分のブログやメールマガジン等に貼り付けることが可能である。
【００５４】
本実施の形態における誘導リンクは、データ継承制御部３２の誘導リンク生成手段が当該アフィリエイタ用に生成して提供するＵＲＬリンクであり、次の例に示すように、アフィリエイトシステムの中核となるアフィリエイト販売システム３０（システム内のサーバコンピュータ）のホスト名を「www.xyz.jp」とし、引数ＵＲＬとして、（１）商品または販売者を特定する第１識別データ「1234」と、（２）当該商品の紹介者であるアフィリエイタ２を特定する第２識別データ「abc」（本例ではアフィリエイトＩＤ）と、を含むＵＲＬ情報から構成される。
＜誘導リンクの例＞
（第１の誘導リンクの例）
http://www.xyz.jp/af.php?item=1234&af=abc
（第２の誘導リンクの例）
http://www.xyz.jp/1234/abc/
（第３の誘導リンクの例）
http://www.xyz.jp/abc/1234/
なお、上記誘導リンクの例において、販売者を特定するデータを第１識別データ「1234」とした場合は、例えば販売者を識別する販売者ＩＤ、販売サイトのＵＲＬ、店舗ＩＤなど、店舗ＤＢ内の当該販売者の販売者情報を検索できる情報であれば良く、販売者ＩＤに限られるものではない。また、商品を特定するデータを第１識別データ「1234」とした場合も、商品ＩＤに限られるものではなく、商品ＤＢ内の当該商品の商品情報を検索できる情報であれば良い。
【００５５】
また、誘導リンクの形式によっては、商品ＩＤとアフィリエイトＩＤは、暗号化したり、セッションデータとして統合化したりして表現することもあるが、基本的には、上記第１から第３の例に示すように、誘導リンクは、データの順序や配置、表現の方法の違いはあっても、どの商品または販売者の何を、誰が紹介したという２つのデータを含む構成とすれば良い。
《５．販売者ページへの誘導処理》
次に、販売者ページへの誘導処理について説明する。
【００５６】
アフィリエイト販売の特徴は、一旦販売者ページへユーザを誘導することである。この誘導により、通常のショッピングサイトへ出品した場合の情報不足を補い、購買意欲を駆り立てる効果を狙うことができる。
【００５７】
そこで、アフィリエイト販売システム３０は、アフィリエイタ２のブログやメールマガジンのＷｅｂページ（ユーザ１の端末の画面上）で、誘導リンク（若しくは誘導リンク付きの商品情報）がユーザ１によってクリックされると、商品の詳細を解説した販売者ページへ誘導する処理を実行する。
【００５８】
本発明に係るアフィリエイト販売システム３０では、アクセス元が携帯端末１ｂで無い場合（クッキー機能を有する端末の場合）と携帯端末１ｂの場合とで、以下のように異なる処理を実行するようにしている。
（５−１．パソコンにおける販売者ページへの誘導処理）
アフィリエイト販売システム３０は、アクセス元が携帯端末１ｂでない場合は、誘導リンク内の商品または販売者を特定する第１識別データ「1234」に対応する販売サイト１０のＵＲＬをデータベース３４（店舗ＤＢ）から取得、あるいは、上記第１識別データ「1234」に含まれる販売サイト１０のＵＲＬを取得し、アクセス元が携帯端末１ｂでない場合は、誘導リンク内のアクセス先のアドレスを販売サイトのＵＲＬアドレスに変換し、そのＵＲＬで示される販売サイト１０の販売者ページへジャンプ（移動）させる処理を実行するようにしている。
（５−２．携帯端末における販売者ページへの誘導処理）
一方、本発明に係るアフィリエイト販売システム３０では、アクセス元が携帯端末１ｂの場合は、詳しくは後述するが、ユーザ１の端末の画面上で誘導リンクがクリックされると、上記アドレス変換の処理を実行せずに、販売サイト１０のＵＲＬからコンテンツ（販売者ページ）を読み込み、そのコンテンツをアクセス元の携帯端末１ｂに送信し、携帯端末１ｂから見たアクセス先ＵＲＬを上記誘導リンクのままとして、ブラウザを通じて携帯端末１ｂの画面上に表示させる処理を実行することにより、販売者ページへ誘導させる方式としている。なお、携帯端末１ｂに送信するコンテンツは、本実施の形態では、前述の「《３．商品情報の登録処理》」において販売者が登録した購入リンク付きの商品情報（販売者ページ）であり、実際の販売サイト１０側で表示する購入リンク付きの販売者ページ（後述の《６．販売者ページに設定する購入リンク》を参照）と同等のＷｅｂデータである。
【００５９】
上記携帯端末１ｂの画面上に表示されるコンテンツのＵＲＬは、最初のＵＲＬリンクのままであり、そのＵＲＬをユーザ１が携帯端末１ｂのＵＲＬリストに入れる操作を行うと、アフィリエイト販売処理に必要なデータを含む誘導リンクが携帯端末１ｂ側に保存されることになる。そして、ＵＲＬリスト内のＵＲＬからアクセスすると、そのＵＲＬ情報がアフィリエイト販売システム３０に伝達される。その結果、クッキー機能を持たない携帯電話機等のユーザ端末環境下においても、アフィリエイト販売処理に必要なデータが復元／継承されることになり、報酬の支払い漏れなどの不都合が生じないアフィリエイト販売を成立することが可能となる。
《６．販売者ページに設定する購入リンク》
次に、販売者ページに設定する購入リンクについて説明する。
【００６０】
アフィリエイト販売システム３０では、ユーザ１の端末の画面上でＵＲＬリンク（誘導リンク）がクリックされると、当該商品の詳細を解説した販売者ページ（図１中の商品画面１１上の商品リスト１１ａが表示されるページ）へ誘導するようにしているが、販売者ページへ誘導した場合、実際にユーザに購入して貰わないと販売が成立しないので、予め販売者ページに購入リンクを設定しておく。
【００６１】
販売者ページに設定される購入リンクは、次の例に示すように、例えば、最初のアクセス先となるアフィリエイト販売システム３０内のＡＳＰサーバのホスト名を「www.xyz.jp」とし、引数ＵＲＬとして、購入が要求された商品またはその販売者を特定する第３識別データ「1234」を付加したＵＲＬ情報から構成される。
＜購入リンクの例＞
（第１の購入リンクの例）
http://www.xyz.jp/a.php?item=1234
（第２の購入リンクの例）
http://www.xyz.jp/1234/
ここでは、紹介者であるアフィリエイトＩＤは記述されていない。その理由は、パソコン側のクッキーまたはセッション等（携帯端末の場合はセッション等）によりアフィリエイトＩＤを記憶して保持するようにしており、アフィリエイトＩＤは、ユーザには見えない所で復元されて機能しているからである。
【００６２】
上記のような購入リンクをユーザ１がクリックすると、アフィリエイト販売システム３０に移動し、アフィリエイト販売システム３０により課金ページ（購入ページ）３１ａの画面データがユーザ端末（パソコン１ａ若しくは携帯端末１ｂ）に送信され、課金ページの画面（購入画面）３１がユーザ端末の表示部に表示される。ユーザ１は、商品を購入する場合は、決済の形態（カード決済、銀行振込決済など）を選択し、決済の形態に応じた決済ページ４１ａの画面４１上でユーザＩＤ，パスワード等を入力して購入ボタンをクリックし、希望した商品を購入する。その際、前述の購入者データベースにユーザ情報が登録されている場合はカード情報等の入力は不要であり、ユーザが選択した決済の形態に対応する口座情報に基づき、決済システム４０を介して当該カード会社のコンピュータとの間で決済処理が実行される。
【００６３】
以上が、アフィリエイト販売システム３０における基本的な処理である。
【００６４】
次に、本発明に係る携帯端末におけるアフィリエイト販売の手法について詳細に説明する。なお、《５．販売者ページへの誘導処理》において説明済みの処理については簡略化又は省略して説明する。
《携帯端末におけるアフィリエイト販売の手法》
本発明に係るアフィリエイト販売システム３０においては、クッキー機能を持たない端末環境下においても、報酬の支払い漏れなどの不都合が生じないように、クッキーを用いずに、アフィリエイト販売処理に必要なデータを引き継ぐようにしている。
【００６５】
以下、アフィリエイタが紹介した商品をユーザが購入する際の、アフィリエイト販売システム３０側の主要な処理について説明する。なお、アフィリエイト処理用データの継承／復元に係る処理は、図１中のデータ継承制御部３２により実行される。
【００６６】
図２は、ユーザ端末（購入希望者）の画面上に表示された誘導リンク付きの商品情報をユーザがクリック操作した以降の主要な動作例を示すフローチャートであり、同図を参照して、アフィリエイト情報（アフィリエイト販売処理に必要なデータ）の継承制御に係る処理について説明する。なお、画面上に表示される商品情報は、図９に示したようなブログ２０ａ，メルマガ２０ｂ，ＳＮＳ２０ｃ等でアフィリエイタによって紹介された商品情報２１ａ（誘導リンク付きの商品紹介ページ）である。
《アフィリエイト販売システムの主要な動作例》
本実施の形態では、ユーザ端末の画面上に表示された商品情報（誘導リンクが組込まれた商品情報若しくは誘導リンク）をユーザ１（購入者）にクリックしてもらうことで、アフィリエイト販売システム３０経由で、当該商品の販売サイト１０のウェブページ（例えば商品の詳細を解説したページ）をユーザ端末の表示部に表示させる形態としている。
【００６７】
上記商品情報をユーザがクリック操作すると、最初のアクセス先であるアフィリエイト販売システム３０内のＡＳＰサーバは、商品情報に貼り付けられているＵＲＬリンク（誘導リンク）をメモリ等に一時的に記憶すると共に、アクセス元のユーザ端末が携帯端末か否かを判定する。この判定処理は、例えば、判定テーブル等に予め登録されている判別情報（ドメイン名，ＩＰアドレス，ＵＡ（User Agent）,あるいはリモートホスト名などの携帯端末を特定するための判別情報）に基づいて実行する（ステップＳ１）。
【００６８】
本実施の形態では、アフィリエイト情報の継承制御に関して、アクセス元のユーザ端末が、パソコン１ａ（クッキー機能を有する通信端末）の場合と携帯端末１ｂ（クッキー機能を備えていない通信端末）の場合とで異なる方式を採用している。
【００６９】
上記ステップＳ１においてアクセス元が携帯端末１ｂと判定した場合は、当該商品の販売サイト１０に移動させる処理（アドレス変換処理）を実行せずに、誘導リンクの情報から得た販売サイト１０のＵＲＬから当該商品のコンテンツ（購入リンク付きの商品詳細情報：例えば当該商品又は当該商品を含む商品群を解説した当該販売サイトの商品ページ）を読み込むと共に（ステップＳ２）、携帯端末１ｂからのアクセス先ＵＲＬを誘導リンク（ステップＳ１で記憶した誘導リンク）のままとして上記コンテンツをアクセス元の携帯端末１ｂに送信し、ブラウザを通じて携帯端末１ｂの表示部に表示させる処理を実行する（ステップＳ３）。
【００７０】
なお、当該商品のコンテンツ（購入リンク付き商品情報のＷｅｂページデータ）は、誘導リンク内の商品または販売者を特定するデータを基に、データベース３４（商品ＤＢ）から読み込む方式としているが、アフィリエイト販売システム３０から一旦、販売サイト１０のＵＲＬにアクセスして当該販売者ページのデータを自動的に取得する形態としても良い。
【００７１】
携帯端末におけるアフィリエイト販売では上述のような処理方式とすることで、ユーザ１が販売サイトのＵＲＬ（本例では前述の誘導リンク）を携帯端末１ｂのＵＲＬリストに入れてセッションを切断した後にＵＲＬリストから当該販売サイトにアクセスする場合でも、ＵＲＬリストに格納されているＵＲＬ情報から、報酬を支払うべき紹介者などを自動認識することが可能となる。言い換えると、携帯端末１ｂのＵＲＬリストを利用することによって、販売サイト１０側が、アフィリエイトＩＤ等の情報を継承する機能を持たなくても、アフィリエイト販売処理に必要なデータを継承することが可能となる。
【００７２】
一方、ステップＳ１において、アクセス元のユーザ端末がパソコン１ａ（クッキー機能を有する通信端末）の場合は、アフィリエイト販売システム３０内のＡＳＰサーバは、アクセス先のアドレス（アフィリエイト販売システム３０内のＡＳＰサーバのＵＲＬアドレス）を販売サイトのＵＲＬアドレスに変換し（ステップＳ４）、当該商品の販売サイト１０に移動させる処理を実行し（ステップＳ５）、販売サイト１０側で当該商品のコンテンツを表示させる。
《クッキーの効かない携帯端末におけるアフィリエイト販売処理の流れ》
携帯端末１ｂにおけるアフィリエイト販売処理の流れを図面で示すと、図３のようになる。
【００７３】
以下、図３の模式図を参照して、クッキー機能を持たない端末環境下におけるアフィリエイト販売システムの動作例を説明する。なお、図３中のＷｅｂサーバ１０ａは、販売サイト１０のサーバであり、携帯端末１ａは、クッキー機能を備えていないユーザ端末である。また、図３中の（Ｍ１）〜（Ｍ４）は処理の流れを示し、図３中の矢印は通信ネットワークを介した情報の流れを示している。以下、ユーザ端末が携帯端末１ｂの場合におけるアフィリエイト販売処理の流れを図３中の（Ｍ１）〜（Ｍ４）の流れに沿って説明する。
（Ｍ１）商品の告知
図９に示したように、商品（本例では電子書籍や音楽データ等の静的なコンテンツ）の紹介者であるアフィリエイタは、ブログ（weblog）２０ａ，メルマガ（メールマガジン）２０ｂ，コミュニティ型のＷｅｂサイトで提供されるＳＮＳ（Social  Networking  Service）２０ｃなどを利用して当該商品の紹介告知を行う。
（Ｍ２）販売サイトのデータ（商品ページ）の表示
携帯端末１ｂの画面上には、アフィリエイタによって紹介告知された、ＵＲＬリンク（前述の誘導リンク）付きの商品情報が表示される。その商品情報（ＵＲＬリンク）をユーザがクリックすると、アクセス先であるアフィリエイト販売システム３０内のＡＳＰサーバは、ＵＲＬリンク内の商品または販売者を特定するデータから販売サイト１０のＵＲＬを得て、その販売サイト１０のＵＲＬのデータ（当該販売サイトのコンテンツ：商品ページ）をデータベース３４から読み出し、携帯端末１ｂから見たアクセス先ＵＲＬをＵＲＬリンク（誘導リンク）のままとして、当該販売サイト１０のデータ（購入リンク付きの商品ページ）をアクセス元の携帯端末１ｂに送信する（図３中の矢印（Ｍ１−１）〜（Ｍ１−２）の流れを参照）。
【００７４】
携帯端末１ｂの表示部には、アフィリエイト販売システム３０から送信された当該販売サイトの商品ページ（購入リンク付きの商品詳細情報）が表示される。そのときの商品ページに対するＵＲＬ（ＨＴＴＰ要求に対する応答のロケーションヘッダに設定するＵＲＬ）は、販売サイトのＵＲＬではなく、アクセス先ホストがＡＳＰサーバとして設定されている商品紹介時のＵＲＬリンク（誘導リンク）となる。
【００７５】
なお、携帯端末１ｂの場合は、販売サイト１０がパソコン１ａ用に作成した商品ページのデータをそのまま使用すると、コンテンツ記述言語やデータ形式の問題により、携帯端末１ｂ側のアプリケーションプログラムで処理できない場合がある。そのため、アフィリエイト販売システム３０では、例えば以下の変換処理を実行した後のコンテンツをデータベース３４に自動登録するようにしている。すなわち、販売サイトが登録した商品ページのデータをデータベース３４から読み出し、その商品ページのデータを、携帯電話機向けのページサイズ、コンテンツ記述言語及び各キャリア対応のフォーマットに変換するデータ変換処理を実行すると共に、変換後のコンテンツのデータを、キャリア種別と関連付けてデータベース３４に自動登録する処理を実行する形態としている。なお、予め携帯端末向けのデータをデータベース３４に登録せずに、画面表示データを携帯端末１ｂに送信する際に、上記データ変換処理をリアルタイムに実行して当該販売サイトの商品ページデータを送信する形態としても良い。
（Ｍ２ａ）ＵＲＬリンクの保存
図３中の破線の矢印（Ｍ２−１ａ）に示すように、商品ページのＵＲＬを携帯端末１ｂの「お気に入り」に入れる操作をユーザが行った場合は、前述の第１〜第３に示した誘導リンクが、携帯端末１ｂのＵＲＬリスト記憶部に保存される。すなわち、携帯端末１ｂのＵＲＬリスト記憶部には、商品または販売者を特定する第１識別データ「1234」と、その商品の紹介者を特定する第２識別データ「abc」とを含むＵＲＬ情報が、携帯端末１ｂのブラウザによって携帯端末１ｂ側で記憶されることになり、その携帯端末１ｂのＵＲＬリストを用いて、アフィリエイト販売処理に必要なデータを継承または復元することが可能となる。
（Ｍ３）課金ページの表示
前記（Ｍ２）において、販売サイトのデータ（商品ページ）が携帯端末１ｂの表示部に表示された後、その商品ページ上の購入リンクをユーザがクリックすると、アフィリエイト販売システム３０に移動し（図３中の（Ｍ２−１）を参照）、アフィリエイト販売システム３０により課金ページの画面データが携帯端末１ｂに送信され（図３中の（Ｍ２−２）を参照）、課金ページの画面が携帯端末１ｂの表示部に表示される。ユーザは、商品の購入する場合は、決済の形態（カード決済、銀行振込決済など）を選択して、希望した商品を購入する。
【００７６】
このように、ユーザは、図３中の矢印（Ｍ１−１）→（Ｍ１−２）→（Ｍ２−１）→（Ｍ２−２）の流れに示すように、ブログ２０ａ等で紹介された商品情報（ＵＲＬリンク）をクリックすることで、携帯端末１ｂには購入リンク付き商品ページが表示されるので、その状態で購入リンクをクリックすることで、即時（セッションを切断する前）に当該商品を購入することができる。
【００７７】
一方、携帯端末１ｂに表示された商品ページを見て即時に購入せず、前記（Ｍ２ａ）において、商品ページのＵＲＬをブラウザのＵＲＬリスト（Bookmark）に記録しておいて、後でじっくり確認してから購入することもできる。その場合は、ＵＲＬリスト内のＵＲＬをクリックすると、アクセス先であるアフィリエイト販売システム３０内のＡＳＰサーバは、図３中の矢印（Ｍ１−１），（Ｍ１−２）の流れと同様に、ＵＲＬリンク内の商品または販売者を特定するデータから販売サイト１０のＵＲＬを得て、その販売サイト１０のＵＲＬのデータをデータベース３４から読み出し、携帯端末１ｂから見たアクセス先ＵＲＬをＵＲＬリンク（誘導リンク）のままとして、当該販売サイト１０のデータ（購入リンク付きの商品ページ）をアクセス元の携帯端末１ｂに送信する処理を実行する（図３中の矢印（Ｍ２−１ｂ）→（Ｍ１−２）→（Ｍ２−１）→（Ｍ２−２）の流れを参照）。
【００７８】
なお、図３中の（Ｍ２）において、購入リンクをユーザがクリックした移行の動作は、ユーザ端末がパソコン１ａの場合と同様である。
【００７９】
以上のように、本発明に係るアフィリエイトシステムでは、携帯端末１ｂ側で商品情報（誘導リンク）がクリックされた際に、販売サイト１０に移動させずに、アフィリエイト販売システム３０のＡＳＰサーバが、データベース３４（商品ＤＢ）に登録されている販売サイトのＵＲＬのデータ（商品解説ページのデータ）を読み出して、携帯端末１Ｂからのアクセス先ＵＲＬは最初のＵＲＬリンク（誘導リンク）のままとして、当該販売サイトのデータを携帯端末１ｂのブラウザを通じて画面上に表示させる形態としている。
【００８０】
次に、パソコン１ａにおけるアフィリエイト販売処理の流れを説明する。
《クッキーの効くパソコン環境におけるアフィリエイト販売処理の流れ》
パソコン１ａにおけるアフィリエイト販売処理の流れを図面で示すと、図４のようになる。
【００８１】
以下、図４の模式図を参照して、パソコン環境におけるアフィリエイト販売システムの動作例を、（Ｐ１）〜（Ｐ５）の流れに沿って説明する。なお、携帯環境におけるアフィリエイト販売システムと同様な動作については説明を簡略化又は省略して説明する。
（Ｐ１）商品の告知
前述の（Ｍ１）商品の告知と同様であり、パソコン１ａの画面上には、アフィリエイタによって紹介告知された、ＵＲＬリンク（前述の誘導リンク）付きの商品情報が表示される。
（Ｐ２）誘導リンク情報の保持
上記ＵＲＬリンクをユーザがクリックすると、アクセス先であるアフィリエイト販売システム３０内のＡＳＰサーバは、パソコン１ａにＵＲＬリンク内の商品または販売者を特定するデータとアフィリエイトＩＤとを記録したクッキーを設定し、その後ブラウザを閉じたり、パソコンの電源を切ったりしても、クッキーの有効期限までは（例えば設定日から３０日間）は、この情報が再現されるように設定する。
（Ｐ３）アドレス変換
上記Ｐ２において、ＵＲＬリンクがクリックされると、アフィリエイト販売システム３０は、アクセスＵＲＬのアドレス変換手段によって、販売者のＷｅｂサイトに誘導する。このアドレス変換手段によるＵＲＬのアドレス変換処理について、図５及び図６のフローチャートを用いて説明する。
【００８２】
先ず、図５のフローチャートを参照してアフィリエイトＩＤの取得処理を説明する。
【００８３】
アフィリエイト販売システム３０は、パソコン１ａとの間のセッション情報を解析してアフィリエイトＩＤが存在するか否かをチェックし（ステップＳ２１）、アフィリエイトＩＤの有無を判定する（ステップＳ２２）。そして、アフィリエイトＩＤが存在すると判定した場合は、セッション情報からアフィリエイトＩＤを取得し（ステップＳ２３）、アフィリエイトＩＤが存在しないと判定した場合は、クッキーの内容を読み取り、クッキーからアフィリエイトＩＤを取得する（ステップＳ２４）。
【００８４】
上記ロジックは、誘導リンクから商品の購入へ移行する際に、アフィリエイトＩＤを取得継承する時のアフィリエイトＩＤを取得する方法として、セッションとクッキーを切替えるロジックである。例えば、誘導リンクからブラウザを閉じないで、商品の購入へ直接移行した場合は、セッションが存在できるため、アフィリエイトＩＤはセッションから取得する。また、例えば販売者ページのＵＲＬを「お気に入り」などに一旦入れて、後から商品を購入する場合は、パソコンの電源を切ったり、ブラウザを一旦閉じたりするため、セッションは切れてしまい、セッション情報が存在しなくなる。その場合は、誘導リンク読込み時に設定したクッキーを読込み、アフィリエイトＩＤを取得する。
【００８５】
次に、図６のフローチャートを参照して、パソコン環境において、誘導リンクから商品の購入へ移行する際のアドレス変換処理を説明する。
【００８６】
アフィリエイト販売システム３０は、先ず、誘導リンク内の引数ＵＲＬを取得し（ステップＳ３１）、引数ＵＲＬが空か否かを判定する（ステップＳ３２）。引数ＵＲＬが空でないと判定した場合は、誘導リンクから販売者ページのＵＲＬを取得し（ステップＳ３３）、引数ＵＲＬが空であると判定した場合は、誘導リンクの商品ＩＤ（又は販売者ＩＤ）に関連付けられて記憶されている販売者ページのＵＲＬを商品情報データベース４３から取得する（ステップＳ３４）。
【００８７】
そして、アドレス変換手段は、誘導リンクのクリック操作に応答して、該操作元のパソコン１ａのアクセス先ＵＲＬを、アフィリエイト販売システム３０のＵＲＬから販売者ページのＵＲＬアドレスに変換することにより、販売者ページのＵＲＬで指定したサイトへ誘導（ジャンプ）させる。その際、ＨＴＴＰ（Hyper Text
Transfer Protocol）のリダイレクト機能（LOCATION指示レスポンス）を使って、瞬時に表示するページの設定を、販売者ページのＵＲＬに設定するようにしている（ステップＳ３５）。
（Ｐ４）販売サイトのデータ（商品ページ）の表示
販売者ページのＵＲＬへ移動（ジャンプ）すると、パソコン１ａの画面上には、上記（Ｐ３）のアドレス変換で表示設定された販売者ページが表示される。そのときのパソコン１ａから見たアクセス先ＵＲＬは、販売サイト１０のＵＲＬであり、アフィリエイト販売処理に必要なデータは、セッション情報（及びクッキー）によって継承される。ユーザは、携帯端末１ｂの場合と同様に、画面上に表示されている販売者ページ上の購入リンクをクリックすることで、当該商品を購入することができる。
（Ｐ５）課金ページの表示
購入リンクをクリックした以降の動作は、携帯端末１ｂの場合と同様であるため、説明を省略する。
【００８８】
次に、アフィリエイト販売システム３０と決済システム４０との間の連携処理について概要を説明する。なお、決済システムとの連携処理は、購入者側の端末環境に依存しない処理である。
《決済システムとの連携処理》
本実施の形態においては、アフィリエイトシステムは、アフィリエイト販売システム３０と決済システム４０との間のアプリケーション層のインターフェースとして、アフィリエイトサービスの課金・決済に係るデータの送受の方式を規定したＡＰＩ（Application  Program  Interface）を設け、そのＡＰＩ（以下「課金ＡＰＩ」と呼ぶ）を用いてアフィリエイト販売システム３０と決済システム４０とを連携させ、ＥＣ店舗に対する売上代金の振込処理、及びアフィリエイタに対する報酬の支払処理を自動的に行うようにしている。
【００８９】
ここで、決済システムとの連携処理に係る手段について説明する。
【００９０】
図１において、決済システム４０は、アフィリエイト販売システム３０との間の情報の授受方式を規定した課金ＡＰＩのプロトコルに従って、商品代金（ユーザ１が購入した商品の代金）の決済情報をアフィリエイト販売システム３０に送信する処理と、アフィリエイト販売システム３０から報酬情報を受信する処理とを実行するアフィリエイト連携処理手段（アフィリエイト連携処理部４２）と、アフィリエイト連携処理部４２で受信した報酬情報に基づいて出品店舗（販売者）の口座に振込む商品代金を決定し、その商品代金を出品店舗（販売者）の口座に振込む処理を実行する決済処理手段（決済処理部４３）と、を備えている。
【００９１】
一方、アフィリエイト販売システム３０は、決済システム４０との連携処理を実行する手段としては、上記課金ＡＰＩのプロトコルに従って、決済システム４０から決済情報を受信する処理と、受信した決済情報に基づいてアフィリエイト報酬（当該商品を紹介したアフィリエイタに支払う報酬）を決定すると共に、決定したアフィリエイト報酬を含む報酬情報を決済システム４０に返信する処理とを実行する決済連携処理手段（決済連携処理部３３ａ）と、上記アフィリエイト報酬を上記決済情報に基づき、当該商品の売上額に応じて決定する処理を実行する報酬決定手段（報酬決定部３３ｂ）とを備えている。なお、アフィリエイト報酬は、指定された口座に振込む形態の他に、電子マネーに自動交換する形態がある。一般的なシステムでは、報酬の支払いは２ヶ月半程度かかっていたが、本発明に係るアフィリエイトシステムでは、その月の末、あるいは、購入時（報酬発生時）にリアルタイムに、電子マネー処理システム５０を介して電子マネーに交換する機能を備えている。
【００９２】
次に、図７の課金決済方式の仕組みを示す模式図及び図８のフローチャートを参照して、アフィリエイタに対して報酬が支払われるまでの仕組みについて、より詳しく説明する
ユーザ１の端末から商品の注文を受付けた販売サイト１０（アフィリエイト販売システム３０内の仮想店舗を含む販売サイト）は、決済会社の決済システム４０に対して商品の注文情報を送信し、商品代金の決済を要求する。決済要求を受付けた決済システム４０は、注文情報に基づき、ユーザ１のカード番号に対応するカード会社５のコンピュータとの間でユーザの認証処理をした後、完了通知（注文受付完了通知）を販売サイト１０へ送信する。決済システム４０から完了通知を受信した販売サイト１０は、完了画面をユーザ端末の表示部に表示して通知し、商品の注文受付が完了した旨をユーザ１に知らせる（図８のステップＳ５１、Ｓ５２）。
【００９３】
決済システム４０は、販売サイト１０へ上記完了通知を送信すると共に、課金ＡＰＩを呼出し、商品代金の決済情報を含む決済完了通知をアフィリエイト販売システム３０に送信する（図８のステップＳ５３、図７中のＣ４）。
【００９４】
課金ＡＰＩによる決済完了通知を受信したアフィリエイト販売システム３０は、決済完了通知に含まれる決済情報に基づき、当該商品の売上額に応じてアフィリエイト報酬を決定し、課金ＡＰＩを用いてその報酬情報を決済システム４０に返信する（図８のステップＳ４１〜Ｓ４３、図７中のＣ５）。
【００９５】
アフィリエイト販売システム３０から報酬情報を受信した決済システム４０は、受信した報酬情報と、商品代金の決済情報、及び決済手数料の設定情報とに基づいて、出品店舗に対しては、商品の売上金額からアフィリエイト報酬と決済手数料（売上のα％、例えばα＝０．５）とを差し引いた残額を、店舗ＤＢに登録されている当該店舗（販売者）の指定口座への振込等によって支払う処理を実行し（図８のステップＳ５４、Ｓ５５、図７中のＣ３）、アフィリエイト販売システム３０に対しては、アフィリエイト販売システム３０から受信した報酬情報に基づいて、アフィリエイト報酬分をＡＳＰ業者の口座へ振込む処理を実行し（図８のステップＳ５６、図７中のＣ６）、決済完了通知をアフィリエイト販売システム３０に送信し（図８のステップＳ５７）、当該商品の決済処理を終了する。
【００９６】
決済システム４０から決済完了通知を受信したアフィリエイト販売システム３０は、販売された商品がアフィリエイタ２の紹介したものであれば、アフィリエイト報酬額からシステム利用料を差し引いた報酬額を口座振込等によってアフィリエイタ２に対して支払う処理を実行する（図７中のＣ７）。また、その際、その商品情報をアフィリエイタ２の端末に送信して、紹介した商品が販売された旨（及び口座振込が完了した旨）を通知し、報酬の支払処理を終了する（図８のステップＳ４４、Ｓ４５）。
【００９７】
なお、ここで言う「アフィリエイト報酬」とは、出品店舗がＡＳＰ３０に対して支払うシステム利用料とアフィリエイタ２に対して支払う報酬額との合計金額である。本実施の形態では、ＡＳＰ３０のシステム利用料は、売上のβ％（例えばβ＝４．５）とし、アフィリエイタ２に対する報酬額は、広告主と当該アフィリエイタとの間で当該商品に対して予め設定された報酬額（ＡＳＰのデータベースに登録されている報酬額）としている。また、出品店舗がＡＳＰ業者に支払うシステム利用料は、初期登録料及び月額利用料を無料とし、上記のように売上に応じた利用料（売上のβ％）だけとすることによって、出品店舗の負担を限りなく軽減するようにしている。
【００９８】
なお、前述の課金ＡＰＩの呼出し（ＡＳＰに対する決済完了通知の送信）は、完了通知（注文の受付完了通知）を販売サイト１０へ送信する時点で発生させる第１の処理形態、即時決済又はクレジット決済に応じて商品代金をユーザの口座から引落とした時点で発生させる第２の処理形態、商品のクーリングオフ期間（キャンセル可能期間）が経過した時点で発生させる第３の処理形態、及び、商品のクーリングオフ期間が経過し且つ商品の返品有効期間が経過した時点で発生させる第４の処理形態がある。本実施の形態では第１の処理形態としているが、いずれの処理形態としても良く、また、決済システム４０が複数の場合は、決済会社毎に処理形態を設定できるようにしても良い。
【００９９】
以上のように、従来のアフィリエイトシステムでは、お金の流れが購入・決済および売上振込の一連の流れとは無関係に、売上をカウントした結果に基づいて、ＡＳＰの会社から請求書が届き、店舗は振込にて支払うことで、アフィリエイタに、報酬が支払われる原資としているが、本システムにおいては、決済会社の決済システムの完了通知にアフィリエイト販売システム（ＡＳＰ）のデータベースを連携させるようにしているので、決済会社からアフィリ報酬分を差し引いた残額を店舗に支払い、ＡＳＰにアフィリ報酬を支払うことでアフィリエイタに報酬が支払わる。その結果、従来は、店舗とＡＳＰは、わざわざ請求書を起こして、店舗はそれを確認して振込む作業が必要であったが、本システムにおいては、決済会社が売上から集計計算の上、アフィリ報酬分を差し引いて残額を店舗に振込むため、店舗もＡＳＰも無駄な作業を一切無くすことが可能となる。
また、従来のアフィリエイトシステムでは、決済が連動していないので、売上とアフィリの件数は一致しないケースが発生し、また、決済のキャンセルやチャージバックに対しては決済連動でないため、完全に対応できない宿命があったが、本システムにおいては、売上とアフィリエイト件数とを完全に一致させることが可能となる。
【図面の簡単な説明】
【０１００】
【図１】本発明に係るアフィリエイトシステムの全体構成の一例を示すブロック図である。
【図２】本発明に係るアフィリエイト情報の継承制御に係る処理を説明するためのフローチャートである。
【図３】クッキー機能を持たない端末環境下におけるアフィリエイト販売処理を説明するための模式図である。
【図４】クッキー機能を有する端末環境下におけるアフィリエイト販売処理を説明するための模式図である。
【図５】クッキー機能を有する端末環境下におけるアフィリエイトＩＤの取得処理を説明するためのフローチャートである。
【図６】クッキー機能を有する端末環境下におけるアドレス変換処理を説明するためのフローチャートである。
【図７】本発明に係る課金決済方式の仕組みを示す模式図である。
【図８】本発明に係るアフィリエイト販売システムと決済システムとの連携処理を説明するためのフローチャートである。
【図９】先行技術におけるデータ継承処理を説明するための第１の模式図である。
【図１０】先行技術におけるデータ継承処理を説明するための第２の模式図である。
【図１１Ａ】先行技術におけるデータ継承処理を説明するための第３の模式図である。
【図１１Ｂ】先行技術におけるデータ継承処理を説明するための第４の模式図である。
【符号の説明】
【０１０１】
１    ユーザ（購入者）
１ａ  パソコン（購入者端末）
１ｂ  携帯端末（購入者端末）
２    アフィリエイタ（紹介者）
１０  販売サイト
１１  商品画面
１１ａ  商品リスト
２０  アフィリエイトサイト装置
２０ａ  ブログ
２０ｂ  メールマガジン
２０ｃ  ＳＮＳ
２１ａ  商品紹介ページ
３０  アフィリエイト販売システム（ＡＳＰ）
３１  購入画面
３１ａ  課金ページ
３２  データ継承制御部
３３ａ  決済連携処理部
３３ｂ  報酬決定部
３４  データベース群
４０  決済システム
４１  決済画面
４１ａ  決済ページ
４２  アフィリエイト連携処理部
４３  決済処理部
５０  電子マネー処理システム
【図１】
2010020585.tif 000003
【図２】
2010020585.tif 000004
【図３】
2010020585.tif 000005
【図４】
2010020585.tif 000006
【図５】
2010020585.tif 000007
【図６】
2010020585.tif 000008
【図７】
2010020585.tif 000009
【図８】
2010020585.tif 000010
【図９】
2010020585.tif 000011
【図１０】
2010020585.tif 000012
【図１１Ａ】
2010020585.tif 000013
【図１１Ｂ】
2010020585.tif 000014